(57)【特許請求の範囲】
【請求項１】
定時的に収集した複数個のデータを標準時刻で２４時間毎のデータとして処理する方式のデータ収集装置であって、
サマータイム開始時とサマータイム終了時に前記複数個のデータを保存するバックアップ手段と、
サマータイム開始時、前記パックアップ手段から、切替時点の直前にあるデータを読出して前記１日分のデータの中の１個のデータとして補充することにより新たに１日分のデータとする手段と、
サマータイム終了時、前記パックアップ手段から、前記切替時点にあるデータと前記切替時点の直後にあるデータの双方を読出して１個のデータとして処理することにより新たに１日分のデータとする手段とを設け、
標準時間とサマータイムを切替たときでも前記１日分のデータの個数が変わらないようにしたデータ収集装置において、
前記一日分のデータを表示する際、
前記１個のデータとして補充されたデータと、前記１個のデータとして処理されたデータについては、他のデータと異なった表示態様にする手段が設けられていることを特徴とするデータ収集装置。
【請求項２】
請求項１に記載のデータ収集装置において、
前記他のデータと異なった表示態様のうち、前記１個のデータとして処理されたデータについての表示態様には、
前記切替時点の直前にあるデータと前記切替時点にあるデータの何れか一方だけを表示する場合と前記切替時点の直前にあるデータと前記切替時点にあるデータの双方が並んだ状態を表示する場合とがあることを特徴とするデータ収集装置。
【発明の詳細な説明】
【技術分野】
【０００１】
本発明は、遠隔監視制御などに用いられるデータ収集装置に係り、特に電力設備の遠隔監視制御に好適なデータ収集装置に関する。
【背景技術】
【０００２】
テレメータリングとして知られている遠隔監視システムや遠隔制御システムにおいてはデータの収集が前提になる。しかも近年、更にデータ量が増す傾向にあり、このため大量のデータを短時間で処理する必要があるため、コンピュータを用い、これにより様々な周期でデータが計測できるようにしている。
このとき収集されたデータは、スケジュール作成やグラフ描画のためのインターフェース機能により処理されるが、このときのデータ管理には、コンピュータ内でのデータ処理とは別に、マンマシンインターフェースを考慮して、標準時刻と同じ通常時刻による通年処理、すなわち２４時間を１日とし、３６５日を１年とする処理を用いるのが一般的である。
【０００３】
ところで、近年、省エネの一環としてデイライトセービングタイムとして知られているサマータイムの採用が取り沙汰されるようになり、何れ実施の機運にある。
ここで、このサマータイムとは、夏季の日が長くなっている時期の始めの或る日付をサマータイムの開始日とし、図７(a)に示すように、例えば１時間などの所定の時間だけ時計を進め、標準時刻上の例えば午前２時がサマータイム上では午前３時になるようにしてしまう時間制度のことである。なお、この図７(a)には、標準時刻が午前１時５９分から午前２時００分になった時点でサマータイムが午前３時００分から開始される。
【０００４】
サマータイムを導入すれば、一日の中で人々が昼間として感じられる時間が長くなり、その分、夜間が短くなるので、照明に必要なエネルギーの節約が得られるようになり、従って、これがデイライトセービングタイムと呼ばれる所以である。
そして、夏季が終わりになったら、或る日付のとき、今度は、その日をサマータイム終了日とし、図７(b)に示すように、サマータイムが午前１時５９分から午前２時００分になって標準時刻が午前１時００分になったとき時計を１時間遅らせて標準時刻に戻し、サマータイムを解除するのである。
【０００５】
ところで、このサマータイムが実施された場合、サマータイム切替直後の１日は２３時間で終わり、サマータイムが解除された直後の１日は２５時間になってしまうので、標準時刻に基づいて通年処理動作しているシステムでは、何らかの対策が必要であり、このため、標準時刻とサマータイムの切替に際して、コンピュータ内で意識されいる時刻も切替えられるようにしたシステムについて、従来技術として幾つか提案がなされている(例えば、特許文献１〜３参照)。
【０００６】
【特許文献１】特開２００２−３４４８８５号公報
【特許文献２】特開平９−２１９９３９号公報
【特許文献１】特開２００６−２００９０３号公報
【発明の開示】
【発明が解決しようとする課題】
【０００７】
上記従来技術は、標準時刻とサマータイムの切替に伴って過渡的に発生するデータ個数の違いについて配慮がされておらず、収集データの認識に混乱の虞が生じてしまうという問題があった。
すなわち、サマータイムが実施された場合、上記したように、収集したデータが通年時刻により１日２４時間として管理されているシステムにおいては、サマータイムが開始された直後の一日分の収集データについては、１時間分のデータが抜けてしまうことになり、反対にサマータイムが終了された直後の一日分の収集データについては、１時間分のデータが重複してしまうことになってしまう。
【０００８】
つまり、サマータイム開始時においては、図８に示すように、標準時刻Ｎ上で２時のデータＮ２がサマータイムＳ上では３時のデータＳ３になってしまうので、この場合、見掛け上は２時のデータが欠落されてしまったことになり、図９のサマータイム終了時においては、サマータイムＳ上で１時のデータＳ１が標準時刻Ｎ上では０時に現れ、その後、更に準時刻Ｎ上の１時にもデータＮ１が現れるので、見掛け上、１時のデータが２度、重複してしまうことになり、従って、例えば、このまま１時間毎にデータを処理したり、表示したとすれば、サマータイム開始時においては収集データが２３個しかなく、サマータイム終了時においては２５個になってしまうので、収集データの認識に混乱の虞が生じてしまうのである。
本発明の目的は、サマータイム切替時での混乱の虞が無いデータ収集装置を提供することにある。
【課題を解決するための手段】
【０００９】
上記の目的は、定時的に収集した複数個のデータを標準時刻で２４時間毎のデータとして処理する方式のデータ収集装置であって、サマータイム開始時とサマータイム終了時に前記複数個のデータを保存するバックアップ手段と、サマータイム開始時、前記パックアップ手段から、切替時点の直前にあるデータを読出して前記１日分のデータの中の１個のデータとして補充することにより新たに１日分のデータとする手段と、サマータイム終了時、前記パックアップ手段から、前記切替時点にあるデータと前記切替時点の直後にあるデータの双方を読出して１個のデータとして処理することにより新たに１日分のデータとする手段とを設け、標準時間とサマータイムを切替たときでも前記１日分のデータの個数が変わらないようにしたデータ収集装置において、前記一日分のデータを表示する際、前記１個のデータとして補充されたデータと、前記１個のデータとして処理されたデータについては、他のデータと異なった表示態様にする手段が設けられていることにより達成される。
【００１０】
ここで、前記他のデータと異なった表示態様のうち、前記１個のデータとして処理されたデータについての表示態様には、前記切替時点の直前にあるデータと前記切替時点にあるデータの何れか一方だけを表示する場合と前記切替時点の直前にあるデータと前記切替時点にあるデータの双方が並んだ状態を表示する場合とがあるようにしても上記目的を達成することができる。
【００１１】
上記手段によれば、１日分のデータの個数が変わってしまう虞がないので、例えば遠隔制御装置など、周期データの受信処理を標準時刻に基づいてシステム化された手法においても、特に問題の虞れはなく、サマータイムの導入により時刻が変更された場合でも、データの受信記録の時間管理がおかしくなったり、計測値の記録に過不足が生じたりすることも無く、この結果、スケジュール作成やグラフ描画に問題が発生しないので、業務に支障の虞も無く、記録の修正やスケジュールの再調整など、人為的な判断が必要になることもない。
【発明の効果】
【００１２】
本発明によれば、標準時刻とサマータイムの切替時にデータが喪失されたり、１日分のデータの個数が変わってしまったりすることが無く、従って、サマータイムの導入に際しても、サマータイムに対応した制御やスケジュール作成などの教務の遂行に支障の虞がなく、サマータイムに係る業務運用を効率的、且つ的確に遂行することができる。
また、本発明によれば、サマータイム終了後、データが保存されているので、平常運転に切替わった後でも、保存した時刻のデータを読み出して比較検討することができる。
【発明を実施するための最良の形態】
【００１３】
以下、本発明によるデータ収集装置について、図示の実施の形態を用いて詳細に説明する。
図１は、本発明を遠隔監視システムに適用し、現地設備１を監視対象とした場合の一実施の形態で、ここでは、一例として、現地設備１が電力系統設備の場合について示したものであり、このため現地設備１から各種の設備情報Ｄが取り出され、情報転送装置２を介して監視装置３に伝送されるようになっている。このため、情報転送装置２には子局２１と親局２２が設けられていて、これらを中継することにより、現地設備１から監視装置３に設備情報Ｄが伝送されることになる。
このとき監視装置３には、情報受信部３１とデータ処理部３２、内部時計３３、サマータイム設定部３４、ＭＭ(主メモリ)３５、それにＳＭ(副メモリ)３６が設けてあり、外部は表示用端末４が付随している。
【００１４】
現地設備１から監視装置３に伝送されてくる設備情報Ｄは、まず、情報受信部３１に入力され、ここで受信処理された後、データ処理部３１に供給される。
ここでデータ処理部３１は、必要な能力の発揮に必要なソフトウエアを搭載したコンピュータを備え、これにより設備情報Ｄから必要なデータを逐次収集しているが、このとき更に、収集した複数個のデータを１時間に１個のデータとして、つまり通常時間の１日２４時間の間に２４個のデータに編集する処理も実行しており、このためデータ処理部３２には、内部時計３３から標準時刻が入力されている。
そして、処理したデータは、ＭＭ３５の所定の情報保存エリアに、順次、古いデータに上書きしながら格納されてゆく。
【００１５】
一方、サマータイム設定部３４には、予めサマータイムの実施に必要な時間データが設定してあり、これによりサマータイム設定部３４は、内部時計３３から入力されている標準時刻がサマータイムの開始時刻になったとき、サマータイム開始信号、つまりサマータイム開始を表わす信号がデータ処理部３２に入力され、標準時刻がサマータイムの終了時刻になったときには、サマータイム終了信号、つまりサマータイム終了を表わす信号がデータ処理部３２に入力されるように構成されている。
【００１６】
このとき、サマータイム設定部３４は、更にサマータイムの開始時刻と終了時刻の前後の或る時間、例えば１時間にわたる期間中、データ保存信号、つまりデータ保存期間を表わす信号を発生してデータ処理部３２に入力するようにも構成されている。
そこで、データ処理部３２は、このデータ保存信号に応じて、図４に示すように、上記の処理したデータをＳＭ３６のサマータイム用情報保存エリアに格納する。
従って、ＳＭ３６は、サマータイム開始時とサマータイム終了時に前記複数個のデータを保存するバックアップ手段として機能することになる。
【００１７】
次に、データ処理部３２によるサマータイム開始時とサマータイム終了時でのデータ処理について説明する。
既に説明した通り、サマータイム開始時においては、図８に示すように、標準時刻Ｎ上で２時のデータＮ２が、サマータイムＳ上では３時のデータＳ３になってしまい、この場合、見掛け上は２時のデータが欠落されてしまうことになる。
そこで、データ処理部３２は、サマータイム開始時、バックアップ手段であるＳＭ３６から、図２に示すように、切替時点、つまりサマータイム開始時点である午前２時の直前に標準時刻Ｎ上にあるデータ、すなわち午前１時のデータＮ１を読出し、これをサマータイムＳ上にデータＳ２として補充する。
従って、このときデータ処理部３２は、バックアップ手段から、切替時点の直前にあるデータを読出して前記１日分のデータの中の１個のデータとして補充することにより新たに１日分のデータを生成する手段として機能することになり、このとき新たに生成された１日分のデータは、ＭＭ３５の情報保存エリアに格納される。
【００１８】
次に、これも既に説明した通り、サマータイム終了時においては、図９に示すように、サマータイムＳ上で１時のデータＳ１が標準時刻Ｎ上では０時に現れ、その後、更に準時刻Ｎ上の１時にもデータＮ１が現れるので、見掛け上、１時のデータが２度、重複してしまうことになる。
そこで、データ処理部３２は、サマータイム終了時、バックアップ手段であるＳＭ３６から、図３に示すように、切替時点、つまりサマータイム終了時点であるサマータイムの１時が標準時刻Ｎでは０時になってしまうので、サマータイムＳ上にあるデータＳ１と標準時刻Ｎ上にある午前１時のデータＮ１の双方から、後述するようにして１個のデータを生成し、この生成したデータを標準時刻Ｎ上でデータＮ１として処理することにより新たに１日分のデータとする。
【００１９】
従って、このときデータ処理部３２は、サマータイム終了時、前記バックアップ手段から、前記切替時点にあるデータと前記切替時点の直後にあるデータの双方を読出して１個のデータとして処理することにより新たに１日分のデータを生成する手段として機能することになり、このとき新たに生成された１日分のデータも、同じくＭＭ３５の情報保存エリアに格納される。
こうしてＭＭ３５に格納されたデータは、表示用端末４により読出され、画像表示されることになる。
【００２０】
そこで、次に、表示用端末４による画像表示について説明する。
このときの表示については、種々のの考え方があるが、ここでは、データを処理するコンピュータでの時間は標準時刻のままで、マンマシンインターフェースについては、サマータイムの切替前後のデータについてサマータイムを極力意識することなくデータ処理や表示処理が行われるようにしている。
そこで、この実施形態では、まず、画像表示について、サマータイム開始時と終了時で異なった態様とする。
【００２１】
まず、サマータイム開始時における画像表示について、図５により説明する。ここで、この図５は、表示されるデータが、例えば現地設備１が電力系統設備で、そこでの電力量をバーグラフにより表示する場合について説明する。
図２により説明したように、標準時刻ＮからサマータイムＳに切替わる時点では、標準時刻ＮでのデータＮ２がサマータイムＳでのデータＳ３になってしまうので、データが２３点分しかなく、このまま２４時間のデータとして表示したのでは、図示のように、２時のデータがスキップされてしまう。
そこで、このときは、ＳＭ３６にバックアップしてある標準時刻ＮでのデータＮ１を２時のデータとして補充し、これにより図示のように、２４個のデータが表示されるようにするのである。
【００２２】
しかも、この実施形態では、このとき補充されるデータのバーグラフの表示領域(図では破線で表示)については、他のデータとは表示色を変えたり、アイコン表示するなどの異なった表示態様になるようにしてあり、ここでは、２時のバーグラフについては、例えば赤色など、他のバーグラフとは異なった色で表示されるようになっている。なお、図では、ハッチング(斜線)を付して色付きであることを示している。
従って、この場合、２４時間表示である点には変わりがないが、このとき表示態様、例えば表示色が異なるバーグラフが存在することから、サマータイム開始時における画像が表示されているものであることが容易に認識でき、且つ、このとき、どのバーグラフが補充されたデータによるものであるかも容易に認識できることになる。
【００２３】
次に、サマータイム終了時における画像表示について、図６により説明する。なお、ここでも表示されるデータについては、図５の場合と同じく電力量をバーグラフにより表示する場合とする。
サマータイム終了時の場合、図３で説明したように、データが重畳(ダブリになる)してしまうので、サマータイム終了時点である午前１時にサマータイムＳ上にあるデータＳ１と切替時点の直後に標準時刻Ｎ上にあるデータＮ１の双方を纏めて１個のデータとして扱い、標準時刻Ｎ上でデータＮ１として処理するのであるが、この場合、本発明の実施形態としては、図６(a)と図６(b)の２種の表示方法がある。
【００２４】
そこで、まず、図６(a)の場合について説明すると、これは、切替時点の直前にあるデータ、つまりデータＳ１と、切替時点にあるデータ、つまりデータＮ１の何れか一方だけの表示になるようにした場合であり、このときデータＳ１とデータＮ１の選択については任意に設定できるものとする。
そして、この場合も、このとき補充されるデータのバーグラフの表示領域(図では破線で表示)については、他のデータとは表示色を変えたり、アイコン表示するなどの異なった表示態様になるようにしてある点は同じであり、従って、ここでは、１時のバーグラフについては、例えば赤色など、他のバーグラフとは異なった色で表示され、ここでもハッチング(斜線)を付して色付きであることが示してある。
【００２５】
次に、図６(b)の場合について説明すると、これは、切替時点の直前にあるデータＳ１切替時点にあるデータＮ２の双方が並んだ表示、つまり２本の幅の狭いバーグラフが並んでいる表示になるようにしたものである。
この場合も、バーグラフの表示領域(図では破線で表示)については、他のデータとは表示色を変えたり、アイコン表示するなどの異なった表示態様になるようにしてある点は同じであり、バーグラフについても、赤色など、他のバーグラフとは異なった色で表示される点は、同じである。
【００２６】
しかも、この場合は、更に、２本並んだバーグラフについても、左右で異なった色で表示されるようにしても良い。つまり、図６(b)の１時のバーグラフについては、左側のバーグラフを、例えば緑色表示にし、右側のバーグラフについては、例えば赤色表示にするのである。
従って、この場合も、２４時間表示である点には変わりがなく、このとき表示態様、例えば表示色が異なるバーグラフが存在することから、今度はサマータイム終了時における画像が表示されているものであることが容易に認識でき、且つ、このとき、どのバーグラフがダフりになったデータによるものであるかも容易に認識できることになる。
【００２７】
以上、説明したように、上記実施形態によれば、１日分のデータの個数が変わってしまう虞がないので、サマータイムの切替前後のデータについてサマータイムを極力意識させないようにしてデータ処理や表示処理が行なえる。
従って、この実施形態によれば、例えば遠隔制御装置など、周期データの受信処理を標準時刻に基づいてシステム化された手法においても、特に問題の虞れがなく、サマータイムの導入により時刻が変更された場合でも、データの受信記録の時間管理がおかしくなったり、計測値の記録に過不足が生じたりすることも無く、この結果、スケジュール作成やグラフ描画に問題が発生しないので、業務に支障の虞も無く、記録の修正やスケジュールの再調整など、人為的な判断が必要になることもない。
【図面の簡単な説明】
【００２８】
【図１】本発明によるデータ収集装置の一実施形態を示すブロック図である。
【図２】本発明の一実施形態におけるサマータイム開始時の信号処理を説明するタイミング図である。
【図３】本発明の一実施形態におけるサマータイム終了時の信号処理を説明図するためのタイミング図である。
【図４】本発明の一実施形態においてサマータイム終了時に実行されるバックアップ処理の説明図である。
【図５】本発明の一実施形態における表示処理の一例を示す説明図である。
【図６】本発明の一実施形態における表示処理の他の一例を示す説明図である。
【図７】サマータイムの説明図である。
【図８】サマータイム開始時の信号状況を説明するためのタイミング図である。
【図９】サマータイム終了時の信号状況を説明するためのタイミング図である。
【符号の説明】
【００２９】
１：現地設備
２：情報転送装置
３：監視装置
４：表示用端末
２１：子局
２２：親局
３１：情報受信部
３２：データ処理部
３３：内部時計
３４：サマータイム設定部
【図１】
0005085302.tif 000002
【図２】
0005085302.tif 000003
【図３】
0005085302.tif 000004
【図４】
0005085302.tif 000005
【図５】
0005085302.tif 000006
【図６】
0005085302.tif 000007
【図７】
0005085302.tif 000008
【図８】
0005085302.tif 000009
【図９】
0005085302.tif 000010